【事件の表示】
　特許第３４６５０５１号「スチルビデオカメラ」の請求項１に係る特許に対する特許異議の申立てについて、次のとおり決定する。
【結　論】
　訂正を認める。
　特許第３４６５０５１号の請求項１に係る特許を維持する。
【理　由】
１．手続の経緯
　特許第３４６５０５１号の請求項１に係る発明は、特願平１−３０７７３４号（平成１年１１月２９日出願）の分割出願についてのものであって、平成１５年８月２９日にその特許権の設定登録がなされ、その後、金子和弘より特許異議の申立てがなされ、取消しの理由が通知され、その指定期間内である平成１７年４月１日に訂正請求がなされたものである。
　
２．訂正の適否についての判断
（１）訂正の内容
ア．訂正事項ａ
　特許請求の範囲の請求項１の記載を、
「被写体画像の撮影を行い電気画像信号を得る撮像手段と、
　前記電気画像信号に基づいてデジタル画像記録を行う記録手段と、
　前記電気画像信号に基づく画像をモニタに表示させるために、前記電気画像信号を出力する画像出力手段とを有し、
　前記撮像手段で得られた電気画像信号に基づいてデジタル画像記録を行い且つ可変設定される時間が経過するまで前記電気画像信号に基づく画像を自動的にモニタに表示させる設定と、前記電気画像信号に基づく画像をモニタに表示させることなくデジタル画像記録を行う設定とを
選択する選択手段を備え
と訂正する。
イ．訂正事項ｂ
　段落【０００６】の記載を、
「【課題を解決するための手段】
　そのため本発明のスチルビデオカメラは、被写体画像の撮影を行い電気画像信号を得る撮像手段と、前記電気画像信号に基づいてデジタル画像記録を行う記録手段と、前記電気画像信号に基づく画像をモニタに表示させるために、前記電気画像信号を出力する画像出力手段とを有し、前記撮像手段で得られた電気画像信号に基づいてデジタル画像記録を行い且つ可変設定される時間が経過するまで前記電気画像信号に基づく画像を自動的にモニタに表示させる設定と、前記電気画像信号に基づく画像をモニタに表示させることなくデジタル画像記録を行う設定とを
選択する選択手段を備え
と訂正する。
　
（２）訂正の目的の適否、新規事項の有無及び拡張・変更の存否
　上記訂正事項ａは、発明を特定する事項である「切換可能に構成した」をこれに含まれる事項である「選択する選択手段を備えた」に変更し、しかも、「選択する選択手段を備えた」点については、願書に添付された明細書の段落【００１６】及び図３に記載されているから、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議申立てについての判断
（１）申立ての理由の概要
　申立人金子和弘は、請求項１に係る発明は、甲第１号証（特開平１−１０１０７９号公報）をもとに容易に発明をすることができたものであり、特許法第２９条第２項の規定により、特許を受けることができないものであるから、特許を取り消すべきと主張している。
　
（２）取消理由通知の内容
請求項１に係る発明は、刊行物１（特開平１−１０１０７９号公報（甲第１号証）及び刊行物２（特開昭６１−１０２８８２号公報）をもとに容易に発明をすることができたものであり、特許法第２９条第２項の規定により、特許を受けることができないものとした。
　
（３）本件の請求項１に係る発明
　上記２．で示したように上記訂正が認められるから、本件の請求項１に係る発明（以下、「本件発明」という）は、上記訂正請求に係る訂正明細書の特許請求の範囲の請求項１に記載された事項により特定されるとおりのものである。
　
（４）刊行物等
　特許異議申立人が証拠として提示した刊行物を含む取消理由通知の刊行物には、それぞれ、以下のような発明が記載されている。
刊行物１：特開平１−１０１０７９号公報（甲第１号証）
　これには、ＣＣＤとデジタル画像信号を記憶するメモリと、モニターディスプレイに画像信号を出力するモニター回路とを有し、タイマー設定スイッチにより設定された時間モニターディスプレイに撮影画像を表示した後、記録手段に記録する電子カメラが記載されている。
刊行物２：特開昭６１−１０２８８２号公報
　これには、撮像装置からの映像信号と、記録再生系からの再生映像信号を切換えて電子ビューファインダへ送り、または撮像装置からの映像信号を記録再生系へ送るスイッチ回路と、単写モードと連写モードを切換えるモード切換スイッチを備え、単写モードでは電子ビューファインダにライブビュー画像を表示しシャッターの動作に応じて記録のみを行い、連写モードでは記録再生系に記録された直前の画像を電子ビューファインダに表示する電子スチルカメラが記載されている。
　
（５）対比・判断
　本件発明と上記刊行物１，２に記載の発明とを対比すると、両刊行物に記載の発明は、本件発明を特定する事項である、「電気画像信号に基づく画像をモニタに表示させることなくデジタル画像記録を行う設定」および（撮像手段で得られた電気画像信号に基づいてデジタル画像記録を行い且つ可変設定される時間が経過するまで前記電気画像信号に基づく画像を自動的にモニタに表示させる設定と、前記電気画像信号に基づく画像をモニタに表示させることなくデジタル画像記録を行う設定とを）「選択する選択手段」を備えておらず、当該事項により本件発明は、明細書記載の効果を奏するのであり、本件発明が上記刊行物１，２に記載のものから容易に発明をすることができたものとはいえない。
　なお、請求人は、「時間ｔｗはタイマー設定スイッチ２９により任意に設定できる」（刊行物１の６頁右上欄１ないし３行）は、時間ｔｗを０とすることを排除していないので、時間ｔｗを０とした場合には、画像をモニターディスプレイ１５に表示されることなく画像記録が行われ、時間ｔｗは任意に設定できるため、時間ｔｗを０とした場合に画像を表示させることなく画像記録が行われることを考慮すると、画像を表示させることなく画像記録を行う設定と画像を表示する設定とは切換可能となっていると主張している。
　しかしながら、刊行物１に記載の発明は、タイマー設定スイッチで設定した時間、モニタ画面に画像を表示し、この表示中に表示画像を記録媒体に記録するか否かを撮影者が判断できるように構成し、撮影に失敗した画像は記録媒体へ記録しないようにすることで記録容量を無駄に使用しないようにすることを課題とするものであって、それを前提に時間ｔｗをタイマー設定スイッチ２９により任意に設定するものであるところ、時間ｔｗを０とできる旨の記載は刊行物１にないとともに、時間ｔｗを０とすれば、画像は表示されず撮影者が判断する時間がないこととなり上記課題が達成できないこととなる。してみれば、時間ｔｗを０とすることが刊行物１に記載ないしは示唆されているということはできないし、切換手段があるということもできない。よって、請求人の上記主張は採用できない。
　
（６）むすび
　以上のとおりであるから、特許異議申立ての理由及び証拠によっては、本件発明の特許を取り消すことができない。
　また、他に本件発明の特許を取り消すべき理由を発見しない。
　したがって、本件発明についての特許は拒絶の査定をしなければならない特許出願に対してされたものと認めない。
　よって、結論のとおり決定する。
【異議決定日】
平成１７年５月６日（２００５．５．６）
【訂正の要旨】
審決（決定）の【理由】欄参照。
（５４）【発明の名称】
スチルビデオカメラ
（５７）【特許請求の範囲】
　【請求項１】　被写体画像の撮影を行い電気画像信号を得る撮像手段と、
　前記電気画像信号に基づいてデジタル画像記録を行う記録手段と、
　前記電気画像信号に基づく画像をモニタに表示させるために、前記電気画像信号を出力する画像出力手段とを有し、
　前記撮像手段で得られた電気画像信号に基づいてデジタル画像記録を行い且つ可変設定される時間が経過するまで前記電気画像信号に基づく画像を自動的にモニタに表示させる設定と、前記電気画像信号に基づく画像をモニタに表示させることなくデジタル画像記録を行う設定とを
選択する選択手段を備え
【発明の詳細な説明】
　【０００１】
　【産業上の利用分野】
　本発明はスチルビデオカメラに関し、詳しくは、記録・再生機能を有したスチルビデオカメラにおける記録・再生動作の改善に関する。
　【０００２】
　【従来の技術】
　近年、従来のフィルム式カメラに代わって、被写体からの光画像信号を撮像素子により電気画像信号に変換し、該電気画像信号を従来のフィルムに相当する磁気ディスク等の記録媒体に記録する構成のスチルビデオカメラが実用化されており、記録媒体に記録した電気画像信号をモニタで再生して見たり、プリンタでハードコピーしたりするようになっている（特開昭５９−１８３５８２号公開等参照）。
　【０００３】
　また、画像だけでなく、音声も画像に対応して記憶させることができるスチルビデオカメラも開発されており、記録画像に対応する音声を例えばシャッターボタンを押したときから所定時間自動的に録音されるよう構成したものがある。更に、再生機能を備え、モニタを接続するだけで再生画面を見ることができるようなスチルビデオカメラも開発されている。
　【０００４】
　【発明が解決しようとする課題】
　ところで、上記のように再生機能を備えたスチルビデオカメラであっても、従来では、撮影者がスイッチ操作を行って初めて再生が行われる構成であり、記録した画像を直ちに再生して確認したい場合などは煩わしさがあった。
　【０００５】
　本発明は上記問題点に鑑みなされたものであり、撮影が行われる一方、自動的に画像が表示されるようにし、更に、その際の画像表示時間を可変設定できるようにすることにより、撮影者の操作負担を軽減するとともに、使い勝手の向上を図ることを目的とする。
　【０００６】
　【課題を解決するための手段】
　そのため本発明のスチルビデオカメラは、被写体画像の撮影を行い電気画像信号を得る撮像手段と、前記電気画像信号に基づいてデジタル画像記録を行う記録手段と、前記電気画像信号に基づく画像をモニタに表示させるために、前記電気画像信号を出力する画像出力手段とを有し、前記撮像手段で得られた電気画像信号に基づいてデジタル画像記録を行い且つ可変設定される時間が経過するまで前記電気画像信号に基づく画像を自動的にモニタに表示させる設定と、前記電気画像信号に基づく画像をモニタに表示させることなくデジタル画像記録を行う設定とを
選択する選択手段を備え
　【０００７】
　【作用】
　かかる構成によると、被写体画像の撮影を行った後に自動的に撮影画像が可変設定される時間が経過するまで表示され、更に、撮影画像の表示が不要の場合には表示しないようにすることもできるので、撮影者の操作負担が軽減すると共に、画像表示時間を自由に設定することができ、その上、モニタでの画像表示が邪魔な場合等、画像を表示する必要性が低い時や表示したくない時には、画像表示を行うことなく記録することもできるので、撮影者の使い勝手が向上する。
　【０００８】
　【実施の形態】
　以下に本発明を実施の形態例で説明する。
　【０００９】
　まず、図１及び図２に本発明にかかるスチルビデオカメラの外観例を示す。
　【００１０】
　図１及び図２において、スチルビデオカメラ１は、撮影レンズ２によって得られる被写体の光画像信号を、内蔵されたＣＣＤ等の撮像素子によって電気画像信号に変換して記録媒体としての着脱自在なフロッピー（Ｒ）ディスク３にアナログ記録するものであり、かかる画像記録と共に、カメラ本体の撮影レンズ２側に設けられたマイクロホン４を介して入力される音声信号を、やはり前記フロッピー（Ｒ）ディスク３にアナログ記録できるようになっている。また、前記フロッピー（Ｒ）ディスク３に記録された画像と音声とをそれぞれに再生する機能も備えており、映像及び音声の記録再生機能を備えたものである。尚、前記音声信号の記録は、例えば画像記録の開始から所定時間自動的に記録するものとし、また、ここでは音声信号は人の声に限らない音響に相当するものとして用いるものとする。
　【００１１】
　また、スチルビデオカメラ１には、撮影者の押圧操作によって画像及び音声の記録を開始するレリーズボタン５が本体上面に設けられており、かかるレリーズボタン５の近傍位置には、表示用液晶部６及び操作部７が設けられており、各種の撮影情報の表示及び撮影条件の設定が行われる。
　【００１２】
　更に、前記撮影レンズ２及びマイクロホン４が設けられるカメラ本体前面には、前記撮影レンズ２の他、図示しない後面に設けられるファインダー（光学ファインダー）用のレンズ８，測光用レンズ９，リモコン受光レンズ１０，セルフタイマーによる撮影状態を表示するためのＬＥＤ１１，ストロボ調光用レンズ１２，ストロボ１３が設けられている。
　【００１３】
　また、カメラ本体の被写体に向けて左側面に設けた凹陥部には、無線によりリモコン信号を送信するカメラ本体と別体のリモコンスイッチボックス１４が、着脱自在に装着できるようになっており、図１がかかるリモコンスイッチボックス１４の装着状態を示し、図２がリモコンスイッチボックス１４を取り外した状態を示す。
　【００１４】
　遠隔操作手段としてのリモコンスイッチボックス１４は、図２に示すように、リモコン送信スイッチ１５と、変調された光信号を送信する赤外発光ＬＥＤ１６とを備えており、リモコン送信スイッチ１５を押すと赤外光であるリモコン信号を発信し、このリモコン信号がスチルビデオカメラ１のリモコン受光レンズ１０に受光されることでリモコンが可能となる。
　【００１５】
　次に前記表示用液晶部６及び操作部７の詳細を図３に従って説明する。
　【００１６】
　選択手段としてのスライドスイッチ２１は、撮影モード（ＲＥＣ），再生モード（ＰＬＡＹ），消去モード（ＥＲＡＳＥ），自動撮影／再生モード（ＡＵＴＯ　ＲＥＣ＆ＰＬＡＹ）の切り換えを行うものであり、かかるスライドスイッチ２１がＯＦＦ位置にあるときには、カメラに電源が供給されず、表示用液晶部６には何の表示も行わず、また、全てのスイッチ操作を受け付けない。尚、上記自動撮影／再生モード（ＲＥＣ＆ＰＬＡＹ）が、本実施例における記録再生手段に相当するモードである。
　【００１７】
　次に、スライドスイッチ２１をＲＥＣの位置にして通常のレリーズボタン５操作による撮影モードが選択されている場合における各スイッチの機能を説明する。
　【００１８】
　撮影モードの状態で、モードスイッチ２２を１回押す毎に表示窓６ａの図で左側にある三角マークが、ＳＩＮＧＬＥ→ＣＯＮＴ．Ｌ−ＣＯＮＴ．Ｈ→ＳＥＬＦと移動し、単写，低速連写，高速連写及びセルフタイマーの各モードを切り換えることができる。ＳＥＬＦの位置から更にモードスイッチ２２を押すと、三角マークは再びＳＩＮＧＬＥ位置に戻ってくる。
　【００１９】
　ストロボスイッチ２３は露出モードの変更を行うスイッチで、ストロボ自動発光モード，ストロボ強制発光モード，ストロボＯＦＦモード，ＡＥロックモード，ブラケット撮影モードの切り換えを行うものであり、ストロボスイッチ２３を１回押す毎に、表示窓６ａの右側にある三角マークが、ＡＵＴＯ→ＯＮ→ＯＦＦ→ＡＥ　ＬＯＣＫ→ＢＲＡＣＫＥＴと移動し、どの露出モードが選択されているかを表示する。
　【００２０】
　ＭＡＣＲＯスイッチ２４は、撮影レンズ２の近接撮影位置と標準撮影位置とを切り換えるスイッチであり、不用意に触られたときに切り換えが行われないように、０．５秒以上継続して押されたときにのみ機能するようにしてある。ＭＡＣＲＯスイッチ２４によってマクロ撮影モードが選択されると、撮影レンズ２が近接撮影位置に移動し、表示窓６ａの左上の花マークが点灯する。
　【００２１】
　ＩＮＴＥＲＶＡＬスイッチ２５は、インターバル撮影モードへの切り換えと条件設定とを行うスイッチであり、ＩＮＴＥＲＶＡＬスイッチ２５を押す毎にインターバル撮影間隔の時・分・秒の設定及び撮影枚数の設定を行うことができるようになっている。尚、それぞれの条件設定値の設定において、モードスイッチ２２及びストロボスイッチ２３を押すことで数字がアップダウンされ、これにより数値の変更が行えるようになっている。ＩＮＴＥＲＶＡＬスイッチ２５も、前記ＭＡＣＲＯスイッチ２４と同様に、０．５秒以上継続して押されたときにのみインターバル撮影モードに切り換わり、表示窓６ａの前記花マークの右側のＩＮＴマークが点灯するようになっている。
　【００２２】
　ＤＡＴＥスイッチ２６は、日付の表示モードを切り換えるスイッチで、１回押す毎に表示窓６ａの下側の表示が、月・日・年→日・月・年→年・月・日・→日・時・分→無表示の順に変化する。
　【００２３】
　ＡＤＪＵＳＴスイッチ２７は、日付又は時刻の変更を行うときに、変更モードへの切り換えと変更する項目を選択するスイッチであり、ＡＤＪＵＳＴスイッチ２７によって選択された年や月や日又は時や分の情報は、モードスイッチ（ダウンスイッチ）２２及びストロボスイッチ２３（アップスイッチ）によってアップダウンさせて変更する。
　【００２４】
　尚、前記表示窓６ａには、上記の各表示の他、電池の消耗度合いを示す電池マークや、撮影枚数を示す２桁のカウンタ表示などが設けられている。
　【００２５】
　図４は上記スチルビデオカメラ１のシステム概略構成を示すブロック図である。
　【００２６】
　ここで、被写体からの光画像信号は、レンズ，絞りなどの光学系Ａを介して、ＣＣＤ等の固体撮像素子Ｂ上に結像される。
　【００２７】
　撮像素子駆動回路Ｃによって撮像素子Ｂから読み出された電気映像信号は、信号処理回路Ｄにおいて例えば輝度信号と色差信号とに分離するというような信号処理をされ、記録信号処理回路Ｅではこの信号を磁気記録する場合にはＦ／Ｍ変調したり、デジタル記録する場合にはＡ／Ｄ変換したりして、記録・再生回路Ｆを介してフロッピー（Ｒ）ディスクや半導体メモリ等の記録媒体Ｇに記録される。
　【００２８】
　一方、マイクロホンＨにより入力される音声信号は、信号処理回路Ｉにおいて増幅や時間軸圧縮などの信号処理を行ってから、映像信号と同様にして、記録信号処理回路Ｅ及び記録・再生回路Ｆを介して記録媒体Ｇに記録される。
　【００２９】
　また、再生時には、記録・再生回路Ｆにより記録媒体Ｇから信号を読み出し、再生信号処理回路Ｊで記録時と逆のプロセスを通って、映像信号と音声信号とに変換して出力する。
　【００３０】
　以上の動作は、操作・表示部Ｋを介して制御ユニットＬにより管理されるようになっており、制御ユニットＬは、測光・測距・調光回路Ｍから信号を入力しつつ、該測光。測距・調光回路Ｍの動作も管理する。
　【００３１】
　図５は、前記図４における記録媒体Ｇとして例えば２インチフロッピー（Ｒ）ディスク（磁気ディスク）用いた場合のより詳細なシステム図であり、この図５に従って記録・再生システム構成を、より詳細に説明する。
　【００３２】
　まず、操作部３１からの入力、又は、リモコン受信回路３２よりの信号が制御回路３３に入ると、シーケンスが起動し、制御回路３３は、測距・測色・調光回路３４などの出力に基づき、ＣＣＤ３５の出力が適正となるように絞り３６やＣＣＤ駆動回路３７を制御し、被写体の光画像信号は、レンズ３８，絞り３６，光学フィルター３９を介してＣＣＤ３５上に結像する。
　【００３３】
　ＣＣＤ駆動回路３７によって読み出される電気画像信号は、リセット雑音を低減させるためのＣＤＳ回路（相関二重サンプリング回路）４０を通り、信号処理回路４１で輝度信号と色差信号とに変換される。この輝度信号と色差信号とは、それぞれＦＭ変調回路４２でエンファシス，ＦＭ変調の処理をされて合成され、セレクタ４３を介して記録アンプ４４に入力される。そして、記録アンプ４４を介してフロッピー（Ｒ）ディスク４５にアナログ磁気記録される。
　【００３４】
　一方、マイクロホン４６から入力される音声信号は、アンプ４７で増幅され、更に信号処理回路４８でノイズリダクションなどの信号処理をされてから、Ａ／Ｄ変換器４９でＡ／Ｄ変換され、デジタル信号の形で一時メモリ５０に蓄えられる。メモリ５０に蓄えられたデジタル信号は、メモリ５０に書き込んだときよりも速いスピードで読み出され、この読み出した信号をＤ／Ａ変換器５１でＤ／Ａ変換することで、時間圧縮したアナログ信号に変換される。
　【００３５】
　時間軸圧縮された音声信号のアナログ信号は、映像信号と同じく、ＦＭ変調回路５２でエンファシス，ＦＭ変調の処理をされ、セレクタ４３及び記録アンプ４４を介してフロッピー（Ｒ）ディスク４５に記録される。前記セレクタ４３は、記録映像信号と記録音声信号との切り換え選択を行うものである。
　【００３６】
　再生動作も、リモコン受信回路３２からの出力や操作部３１からの入力を受けてシーケンスがスタートする。まず、音声信号がフロッピー（Ｒ）ディスク４５から再生アンプ５３を介して読み出され、セレクタ５４によってＦＭ復調回路５５に入力される。ＦＭ復調回路５５では、フロッピー（Ｒ）ディスク４５から読み出された音声信号がＦＭ復調，ディエンファシスの処理をされ、次のＡ／Ｄ変換器５６でＡ／Ｄ変換されてデジタル信号の形で一時メモリ５７に蓄えられる。
　【００３７】
　次に、前記フロッピー（Ｒ）ディスク４５から読み出した音声信号に対応する映像信号を、フロッピー（Ｒ）ディスク４５から再生アンプ５３を介して読み出し、セレクタ５４によってＦＭ復調回路５８に入力する。ＦＭ復調回路５８で、ＦＭ復調，ディエンファシス処理を施された映像信号は、信号処理回路５９でビデオ信号に変換され、出力回路６０を介して出力される。
　【００３８】
　上記のようにしてビデオ信号が出力回路６０から出力されている間、メモリ５７に蓄えられている音声信号のデジタルデータを、実時間に戻るような速度で読み出してＤ／Ａ変換器６１でアナログ信号に変換し、信号処理回路６２，出力回路６３を介して音声出力して出力する。
　【００３９】
　マイクロコンピュータを内蔵した制御回路３３は、上記のような記録・再生動作に関わる各回路を制御すると共に、操作部３１を介して設定された撮影条件や、撮影枚数などの情報を表示部６４に表示させ、また、操作部３１による設定に基づいてストロボ６５の発光等を制御する。
　【００４０】
　また、上記各回路へは、電源回路６６から電源が供給されるようになっている。
　【００４１】
　次に図６に示すタイムチャートを参照しつつ、図５に示した本実施例のスチルビデオカメラの記録動作を説明する。
　【００４２】
　カメラのレリーズボタンの第１ストロークＳ１をＯＮすると電源がＯＮし、フロッピー（Ｒ）ディスク４５を回転させるために図示しないスピンドルモータがＯＮする。
　【００４３】
　次に被写体の輝度と被写体までの距離とを測定し（ＡＥ・ＡＦ）、フォーカスレンズを動かしてピントを合わせる。
　【００４４】
　レリーズボタンの第２ストロークＳ２のＯＮで、絞りがセットされ、ＣＣＤ３５の電子シャッタが開き被写体を撮影し、ＣＣＤ３５の画素毎に電荷が蓄積される。その後、フロッピー（Ｒ）ディスク４５の記録基準であるＰＧ信号に同期して記録ゲートがＯＮし、ＣＣＤ３５に蓄積された電荷が読み出されて信号処理を施された後、ＦＭ変調された映像信号がフロッピー（Ｒ）ディスク４５に記録される。このとき、ＡＶ（音響・映像）セレクタ４３は予め映像側が選択されている。
　【００４５】
　次に、ＡＶセレクタ４３が映像から音声に切り換えられ、フロッピー（Ｒ）ディスク４５の次のトラックにヘッドが移動する。ここで、マイクロホン４６からの音声信号は、増幅された後ノイズリダクション等の信号処理をされ、Ａ／Ｄ変換されてメモリ５０にストアされる。音声の記録時間は一定時間で、この時間が経過した後、記録したときよりも速い速度でメモリから読み出した音声信号を、Ｄ／Ａ変換してアナログ信号に戻し、このアナログ信号をＦＭ変調したデータがＰＧに同期してフロッピー（Ｒ）ディスク４５に記録される。そして、記録が終了すると次の撮影に備えて、ヘッドを次のトラックに移動させ、最後にスピンドルモータをＯＦＦしてから電源をＯＦＦしてシーケンスを終了する。
　【００４６】
　次に図７に示すタイムチャートに従って再生時の動作を説明する。
　【００４７】
　まず、カメラの再生スタートスイッチをＯＮすると（スライドスイッチ２１により再生モードの選択して再生開始を指示すると）、電源がＯＮし、フロッピー（Ｒ）ディスク４５を回転させるためにスピンドルモータをＯＮする。
　【００４８】
　まず、ＡＶセレクタ５４は予め音声側に選択されていて、フロッピー（Ｒ）ディスク４５の記録基準であるＰＧ信号に同期して、音声信号がフロッピー（Ｒ）ディスク４５から読み出され、ＦＭ復調及びＡ／Ｄ変換された後、デジタル信号の形で一時メモリ５７にストアされる。
　【００４９】
　次に、ＡＶセレクタ５４が音声から映像に切り換えられ前記読み出された音声に対応する映像の記録されたトラックにヘッドが移動する。ここで、ＰＧ信号に同期して映像信号が読み出され、ＦＭ復調やエンコード処理を施された後、ＮＴＳＣ方式などのビデオ信号として出力される。
　【００５０】
　このとき同時に、メモリ５７にストアされていた音声信号が記録したときよりも遅い速度でメモリ５７から読み出されてＤ／Ａ変換され、ノイズリダクション処理され、音声信号として出力される。
　【００５１】
　その後、再び再生スタートスイッチがＯＮされれば、次の再生に備えて、ヘッドは次の音声トラックに送られ、同様に映像と音声が同時に再生される。
　【００５２】
　このようにして、スチルビデオカメラ１における映像及び音声の記録・再生機能が実現されるものであり、次に本発明にかかる記録・再生を所定のトリガ信号に基づいて自動的に行う実施例について述べる。
　【００５３】
　まず、一定時間周期で自動録再させる制御を図８のタイムチャートを参照しつつ説明する。
　【００５４】
　図８のタイムチャートは、記録及び該記録内容の再生を、カメラ各回路の制御を行うＣＰＵに備えられた時間間隔トリガ信号出力手段としてのタイマーを用いて一定時間周期で自動的に行わせる場合の動作を示すものである。
　【００５５】
　尚、ここで、回路の構成によっては記録と再生の切り換え時に録再ヘッドに異常電流が流れ、記録された信号にノイズが入ってしまうことがあるので、記録と再生の切り換えは、未記録トラックにヘッドを一旦移動させてから戻して行うようにすることが好ましい。
　【００５６】
　まず、図３に示すスライドスイッチ２１でＡＵＴＯ　ＲＥＣ＆ＰＬＡＹモードを選択し、ＩＮＴＥＲＶＡＬスイッチ２５を０．５秒以上押していると、図９に示すように表示窓６ａ分の桁表示が点滅し、自動録再させるインターバル時間のセットを促すので、アップスイッチ（ストロボスイッチ２３）とダウンスイッチ（モードスイッチ２２）を用いてインターバル時間の分の桁をセットする。
　【００５７】
　ここで５分にセットしたいとすると、アップスイッチを５回押して５分の表示を出してからＩＮＴＥＲＶＡＬスイッチ２５をＯＮすると、分の桁が確定されたことが点滅の停止で表示され、次に秒の桁の表示が点滅して秒単位の時間セットを促す（図１０参照）。秒のセットを同様にして行い希望時間のセットが終了したら、ＩＮＴＥＲＶＡＬスイッチ２５をＯＮさせて、秒の桁についても確定させる（図１１参照）。
　【００５８】
　図９〜図１１に示す例では、インターバル時間が５分３０秒に設定され、５分３０秒毎にタイマー出力が図８に示すようにパルス波として出力され、このタイマー出力の立ち上がりを所定のトリガ信号として記録（映像及び一定時間の音声の記録）が行われ、記録終了と同時に記録した内容の再生が次にタイマー出力が立ち上がるまで自動的に継続して行われるようになっている。
　【００５９】
　従って、スチルビデオカメラ１にモニタを接続しておけば、一定時間毎にスチルビデオカメラによる記録が自動的に行われ、かつ、記録終了後は直ちに記録内容の映像をモニタ上に自動的に写し出すことができ、然も、所望の場合には再生映像に付随する音声信号を合わせて再生できる。このため、カメラを操作するものが居なくても記録・再生が一定時間間隔で自動的に行われるから、例えばパーティー会場で、会場内の映像及び音声を一定時間毎に記録して、一定時間毎に最新の記録画像をモニタ上に再生して見せたり、記録された音声を再生して聞かせたりといった使い方ができ、スチルビデオカメラ１を単なる記録手段としてだけでなく、１つのディスプレイ装置として活用できる。
　【００６０】
　次に、音声レベル検出に基づく自動録再制御について、図１２のタイムチャートを参照しつつ説明する。
　【００６１】
　ここでは、図３に示す選択手段としてのスライドスイッチ２１でＡＵＴＯ　ＲＥＣ＆ＰＬＡＹのモードが選択されると、マイクロホンの入力レベルが設定レベルを越えたときにかかる検出信号が、ＣＰＣ（図５における制御回路３３）に送られるようになっており、かかる音声レベルの信号を所定のトリガ信号として自動的な記録動作及びこの記録に続く自動的な再生動作とが行われるようになっている。
　【００６２】
　即ち、音声レベルが設定レベルを越えると、前述のようなタイミングに従って映像と音声とがそれぞれフロッピー（Ｒ）ディスクに記録され、かかる記録終了に同期して再生モードに自動的に切り換わり、その後再び音声レベルが設定レベルを越えて検出信号が出力されるまでの間、前記記録した映像及び音声の再生が継続して行われる。このようにして、マイクロホンの入力が設定レベルを越えるたびに音声と映像とが記録され、かつ、最新に記録した映像及び音声が自動的に再生されるようになっている。
　【００６３】
　かかるマイクロホンの入力レベルに基づく自動的な記録・再生制御を、図１３のタイムチャートに従って更に詳細に説明すると、マイクロホンの入力が第１の設定レベルを越えて検出信号が出力されると、フロッピー（Ｒ）ディスク４５を回転させるための図示しないスピンドルモータをＯＮし、次に被写体の輝度及び被写体までの距離を測定し（ＡＥ／ＡＦ）、図示しないフォーカスレンズを動かしてピント合わせし、必要ならばストロボ６５を充電し、撮影の準備をする。
　【００６４】
　そして、マイクロホン４６の入力が第２の設定レベルを越えたところで、ＣＣＤ３５の電子シャッタを開き撮影を開始する。このように、動作に時間のかかる各種アクチュエータを予め動作させておけば、タイムラグのない撮影が可能となる。
　【００６５】
　尚、マイクロホン４６の入力が第１の設定レベルを越えてから一定時間内に第２の設定レベルを越えなかったときには、スピンドルモータをＯＦＦし、フォーカスレンズを元の位置に戻すようにする。
　【００６６】
　上記のようにしてマイクロホン４６の入力レベルが設定レベルを越える毎に映像と音声とが記録され再生されるようにすれば、例えばパーティ会場で歓声が上がる毎に会場内の映像と音声とを記録し、直ちに再生して見せたり聞かせたりすることができるから、誰もカメラを操作する必要がなく出席者全員がパーティーに参加しつつ、会場風景の記録・再生を行わせることができる。また、一定時間毎に記録されたものが直ちに自動的に再生されるから、記録の重要性よりも、パーティー会場などではアトラクション的なディスプレイとして楽しむこともできる。
　【００６７】
　ここで、マイクロホン４６による入力レベルが設定レベルを越えたことを検出する方法、即ち、音響レベルトリガ信号出力手段について、図１４に従って説明する。尚、図１４は、図５の全体システムブロック図の一部をピックアップして記してあるもので、同一要素には同一符号を付し、その他の構成要素については図５と同様であるものとし説明を省略する。
　【００６８】
　即ち、マイクロホン４６からの音声信号をアンプ４７で増幅した信号が、コンパレータ８１のマイナス側に入力されるようになっており、前記コンパレータ８１のプラス側には可変抵抗ＲＦにより分圧された基準電圧が入力される。コンパレータ８１出力は制御回路３３に入力されるようになっており、可変抵抗ＲＦの抵抗値によって決定される設定レベルを越える音声信号があると、コンパレータ８１出力が反転することにより、制御回路３３は音声レベルが設定レベルを越えたことを検出できる。
　【００６９】
　しかしながら、上記の方法では、設定レベルが一定になってしまうので、図１３に示すように複数の設定レベルに基づいて記録・再生動作を行わせる場合には適用できない。そこで、図１５に示すように、制御回路３３に内蔵されたＤ／Ａ変換器の出力が前記コンパレータ８１のプラス側に入力されるように構成し、初めに第１設定レベル（図１３参照）に相当する電圧をコンパレータ８１に出力させておき、音声レベルがこの第１設定レベルを越えたことがコンパレータ８１の出力反転により検出されたら、第２の設定レベルに相当する電圧をＤ／Ａ変換器からコンパレータ８１に出力させるようにすれば、複数の設定レベルと実際の音声レベルとを比較させることができる。
　【００７０】
　また、図１６に示すように、マイクロホン４６を介して入力した音声信号のＡ／Ｄ変換値を制御回路３３に入力させるようにして、ソフトウェア処理によって設定レベルと音声信号のデジタル値とを比較すれば、コンパレータ８１等のハードウェアを用いずに音声レベルの検出が行える。
　【００７１】
　次に、リモコン（遠隔操作）信号によって記録・再生させる動作を、図１７のタイムチャートを参照しつつ説明する。
　【００７２】
　即ち、図３に示すスライドスイッチ２１でＡＵＴＯ　ＲＥＣ＆ＰＬＡＹのモードを選択すると、カメラのリモコン受光レンズ１０（図１及び図２参照）を介してリモコン光線を受光する受光ユニットであるリモコン受信回路３２に常時給電され、使用者が図２に示す遠隔操作手段としてのリモコンスイッチボックス１４のリモコン送信スイッチ１５を押して赤外発光ＬＥＤ１６から赤外光であるリモコン光信号が前記リモコン受光レンズ１０を介してスチルビデオカメラ１に入力されると、カメラ１はこの所定のトリガ信号としてのリモコン指示に従い、記録（映像及び音声）及びこれに続けて記録内容の再生を行い、次にリモコンスイッチボックス１４が操作されるまで再生を継続する。
　【００７３】
　このようにしてリモコンにより記録及びこの記録に続く自動的な再生が行えれば、例えばパーティー会場などで盛り上がったときに主催者がリモコンを操作して、カメラによる撮影を行わせると共に、撮影記録した内容を直ちにテレビ（モニタ）で見たり聞いたりすることができる。
　【００７４】
　尚、リモコンは上記のように赤外光による信号の他、電波を利用したものであっても良い。
　【００７５】
　次に、マイクロホン４６を介して入力される音声レベルに基づく自動録再と、リモコンによる録再とを組み合わせた例を、図１８のタイムチャートを参照しつつ説明する。
　【００７６】
　図３に示すスライドスイッチ２１でＡＵＴＯ　ＲＥＣ＆ＰＬＡＹのモードを選択すると、前述のようにして、マイクロホン４６を介して入力される音声レベルが設定レベルを越えたとき（図１８中のＡ又はＣのとき）に検出信号が出力され、この検出信号をトリガ信号として自動的な映像・音声信号の記録及び該記録内容の再生が行われ、再度音声レベルが設定レベルを越えるまでの間継続して再生が行われる。
　【００７７】
　ところが、図１８中のＢの場合のように、音声レベルが設定レベルまで達していない場合でも、撮影を行いたい場合がある。このときには、使用者がリモコンを操作して記録・再生を指示すれば、音声レベルが設定に達していないときでも、カメラに記録・再生を行わせることができるように、リモコンの受光ユニットに常時給電されてリモコン操作の待機状態としておく。
　【００７８】
　即ち、音声レベルが設定レベルを越えるか、又は、リモコンで指示されると、録再が行われるようにしてあるもので、音声レベルが設定を越えるたびに自動的に記録と該記録内容の再生とを行わせつつ、リモコン操作によって音声レベルとは無関係に任意のときに録再を行わせることができる。
　【００７９】
　図１９は、上記実施例に示したスチルビデオカメラ１の実際の使用状態を図示したものであり、三脚９１に支持されスチルビデオカメラ１は例えばパーティー会場に向けて設置されており、該スチルビデオカメラ１は内蔵の電池によっても動作するが長時間の動作に備えてＡＣアダプタ９２を介して交流電源（家庭電源）で駆動させるようにしてある。このようにして家庭電源でスチルビデオカメラ１を駆動する場合には、電池の消耗を考慮する必要がないから常時ストロボに充電させておくことができる。
　【００８０】
　スチルビデオカメラ１とテレビ９３とは映像用及び音声用の信号ケーブル９３で接続されており、スチルビデオカメラ１で再生された映像及び音声信号が、前記ケーブル９３を介してテレビ９４に入力されて、テレビ９４のＣＲＴ及びスピーカーを介して再生されるようになっている。
　【００８１】
　ここで、例えばパーティーの主催者であるＡが、スチルビデオカメラ１から取り外したリモコンスイッチボックス１４を持っており、必要に応じてこのリモコンスイッチボックス１４を操作したり、直接スチルビデオカメラ１のレリーズボタン５を操作し、パーティー会場の撮影を行うと共に、撮影記録した映像及び音声をテレビに再生させ、また、スチルビデオカメラ１のモード選択によってマイクロホン４６の入力レベルに応じて自動的に録再を行わせることができる。
　【００８２】
　尚、上記実施例では、スチルビデオカメラ１が映像と共に音声も記録できるものについて述べたが、音声の録再機能を備えていないカメラであっても良く、音声の録再機能を備えていないカメラでは、マイクロホンがないので、音声レベルに基づく自動的な録再を行わせることができず、上記の実施例では一定時間毎の録再と、リモコンによる録再とを適用することができる。但し、音声の記録・再生機能を備えてないスチルビデオカメラにおいて、記録・再生を行わせる所定のトリガ信号を出力させるためにのみマイクロホンを設置するようにしても良い。
　【００８３】
　また、本実施例では、記録媒体としてフロッピー（Ｒ）ディスクを用いてアナログ記録させるようにしたが、半導体メモリにデジタル記録させるようにしても良い。
　【００８４】
　更に、上記実施例では、所定のトリガ信号があると直ちに記録して、記録終了と同時にこの記録内容を再生し、次にトリガ信号があるまでの間は再生を継続して行うようにしたが、再生は次にトリガ信号があるまで継続するのではなく、所定時間だけに限って行うようにしても良い。
　【００８５】
　また、通常のレリーズボタン５操作によって記録が行われた場合にも、この記録内容を直ちに自動再生するようなモードを設けるようにしても良く、この場合、所定のトリガ信号はレリーズボタン５の操作信号ということになる。
　【００８６】
　【発明の効果】
　以上説明したように本発明のスチルビデオカメラは、被写体画像の撮影を行った後に自動的に撮影画像が可変設定される時間が経過するまで表示され、更に、撮影画像の表示が不要の場合には表示しないようにすることもできるので、撮影者の操作負担が軽減すると共に、画像表示時間を自由に設定することができ、その上、モニタでの画像表示が邪魔な場合等、画像を表示する必要性が低い時や表示したくない時には、画像表示を行うことなく記録することもできるので、撮影者の使い勝手が向上する。
【図面の簡単な説明】
　【図１】本発明にかかるスチルビデオカメラの外観斜視図
　【図２】本発明にかかるスチルビデオカメラの外観斜視図
　【図３】前記図１及び図２に示したスチルビデオカメラにおける操作部及び表示部を示す平面図
　【図４】同上実施例におけるスチルビデオカメラの基本回路構成を示すブロック図
　【図５】図４に図示の回路構成をより詳細に示すブロック図
　【図６】同上実施例における映像・音声記録制御の特性を示すタイムチャート
　【図７】同上実施例における映像・音声再生制御の特性を示すタイムチャート
　【図８】一定時間周期毎に記録再生を行わせる実施例の制御特性を示すタイムチャート
　【図９】前記図８に図示の一定時間周期毎の録再制御における周期時間設定を説明するための表示部状態図
　【図１０】前記図８に図示の一定時間周期毎の録再制御における周期時間設定を説明するための表示部状態図
　【図１１】前記図８に図示の一定時間周期毎の録再制御における周期時間設定を説明するための表示部状態図
　【図１２】図８に図示の音声レベル検出に基づく録再をより詳細に説明するためのタイムチャート
　【図１３】音声レベルを複数レベルと比較して録再させる際の各部の動作を示すタイムチャート
　【図１４】音声レベル検出のためのハードウェア構成の例を示すブロック図
　【図１５】音声レベル検出のためのハードウェア構成の例を示すブロック図
　【図１６】音声レベル検出のためのハードウェア構成の例を示すブロック図
　【図１７】リモコン信号に基づいて記録・再生を行わせる制御内容を示すタイムチャート　
　【図１８】音声レベルに基づく録再制御とリモコン信号に基づく録再制御とを組合わせた場合の制御内容を示すタイムチャート
　【図１９】本発明にかかるスチルビデオカメラの使用状態例を示す斜視図である。
　【符号の説明】
　　１・・・スチルビデオカメラ
　　２・・・撮影レンズ
　　３・・・フロッピー（Ｒ）ディスク
　　４・・・マイクロホン
　　５・・・レリーズボタン
　１０・・・リモコン受光レンズ
　１４・・・リモコンスイッチボックス
　２１・・・スライドスイッチ
　３２・・・リモコン受信回路
　３３・・・制御回路
　３５・・・ＣＣＤ
　４５・・・フロッピー（Ｒ）ディスク
　４６・・マイクロホン